(57)【要約】【課題】共連れを防止することにより高度な安全性を維持しつつ、認証の際の操作が簡易で利便性を向上することができる認証機能付きエアシャワーシステムを提供すること。【解決手段】入室用扉及び退室用扉を備えたエアシャワー室２と、エアシャワー室２の入室者の体重を計測する体重計２７と、入室者が装着しているＷＣＵ３０から出力される情報であって、入室者又はＷＣＵ３０を一意に識別するための識別情報を受信する受信端末６０と、入室者の体重と識別情報とを相互に対応付けて格納する認証管理装置４０とを備える。認証管理装置４０は、退室用扉を施錠し、入室用扉から入室者がエアシャワー室２に入室した後に当該入室用扉を施錠し、受信端末６０にて受信された識別情報に対応する体重と体重計２７にて計測された入室者の体重とに基づいて入室者の認証可否を判定し、認証可と判定した場合に退室用扉を開錠する。【選択図】図４
2010059648.tif 000002
【特許請求の範囲】
【請求項１】
入室者に対して空気を噴射可能なもので、入室用扉及び退室用扉を備えたエアシャワー室と、
前記エアシャワー室に入室している入室者の体重を計測する体重計測手段と、
前記エアシャワー室に入室している入室者が装着している携帯認証端末から出力される情報であって、当該入室者又は当該携帯認証端末を一意に識別するための識別情報を受信する受信手段と、
前記入室者の体重と前記識別情報とを相互に対応付けて格納する格納手段と、
前記退室用扉を施錠し、前記入室用扉から前記入室者が前記エアシャワー室に入室した後に当該入室用扉を施錠し、前記受信手段にて受信された前記識別情報に対応する体重を前記格納手段から取得し、当該取得した体重と前記体重計測手段にて計測された前記入室者の体重とに基づいて前記入室者の認証可否を判定し、認証可と判定した場合に前記退室用扉を開錠する制御手段と、
を備えたことを特徴とする認証機能付きエアシャワーシステム。
【請求項２】
前記制御手段は、前記受信手段にて複数の前記識別情報が受信された場合には、当該複数の識別情報の各々に対応する体重を前記格納手段から取得する共に、当該取得した体重の合計値を算定し、当該算定した体重と前記体重計測手段にて計測された前記入室者の体重とに基づいて前記入室者の認証可否を判定すること、
を特徴とする請求項１に記載の認証機能付きエアシャワーシステム。
【請求項３】
前記制御手段は、前記受信手段による前記識別情報の受信位置及び受信数に基づいて、前記エアシャワー室の入室者の位置又は人数を判定し、当該判定された入室者の位置又は人数に基づいて、前記エアシャワー室における空気の噴射を制御すること、
を特徴とする請求項２に記載の認証機能付きエアシャワーシステム。
【請求項４】
前記エアシャワー室への前記入室者に装着される携帯認証端末を備え、
前記携帯認証端末は、
前記入室者に対する当該携帯認証端末の装着有無を検知する装着検知手段と、
当該携帯認証端末又は当該携帯認証端末を装着している前記入室者を一意に識別するための識別情報を記憶する識別情報記憶手段と、
前記装着検知手段の検知結果に基づいて、前記入室者による当該携帯認証端末の装着が当該携帯認証端末の起動後に継続して行われているか否かを判定し、当該装着が当該起動後に継続して行なわれていることを条件として、前記識別情報記憶手段にて記憶されている前記識別情報を、当該入室者を媒体とした人体通信にて前記受信手段に送信する携帯認証端末側人体通信手段とを備え、
前記受信手段は、
前記携帯認証端末側人体通信手段から人体通信にて送信された前記識別情報を受信する認証操作端末側人体通信手段を備えること、
を特徴とする請求項１から３のいずれか一項に記載の認証機能付きエアシャワーシステム。
【発明の詳細な説明】
【技術分野】
【０００１】
本発明は、入室者に対して空気を噴射するエアシャワーシステムに関し、特に入室者の認証を行う機能を備えた認証機能付きエアシャワーシステムに関する。
【背景技術】
【０００２】
従来から、製薬工場や半導体製造工場のクリーンルーム等の前室として、このクリーンルームに入室する入室者に付着している髪の毛や塵等を除去するためのエアシャワー室が設けられている。このようなエアシャワー室に対しては、許可された入室者のみが当該エアシャワー室を通過可能となるように、入室者の認証を行う機能が付加されることが提案されている。
【０００３】
この認証方法として、入室が許可された入室者に、当該入室者を一意に識別するためのＩＤが記憶されたＩＤカード等の認証デバイスを所持させて、エアシャワー室への入退室の際にそのＩＤカードに記憶されたＩＤを、カード情報読み取り装置等にて読み取り、当該読み取ったＩＤを予め登録されたＩＤと照合することが行われている。
【０００４】
しかしながら、このようなＩＤカードを用いた認証方法では、入退出を許可されていない第三者がＩＤカードを何らかの不正手段によって入手してしまうと、当該第三者がＩＤカードの正当な入室者になりすまして入退室を行うことが可能となる危険性がある。
【０００５】
このため、このような問題を回避するために、ＩＤカードのＩＤ情報に代えて、入室者自身の人体の特徴である生体情報を用いて本人認証を行う生体認証の技術も実用化されている。この生体認証としては、指紋を生体情報として用いる指紋認証、静脈を生体情報として用いる静脈認証、あるいは、顔画像を撮像してその顔画像の特徴量を生体情報として用いる顔認証等がある。このような生体認証の技術では、不正な第三者による正当な者へのなりすましを防止することができる（例えば特許文献１参照）。
【０００６】
【特許文献１】特開２００８−１２３３１２
【発明の開示】
【発明が解決しようとする課題】
【０００７】
しかしながら、このような生体認証の技術では、入室者の生体情報を認証に使用するので、クリーンルーム等への入退室時に入室者が手袋を着用している場合には指紋認証を行うことができなかったり、マスクやサングラス等を着用している場合には顔認証を行うことができない。このため、このような場合には、入室者は、認証を行う毎に手袋やサングラス等の着用物を着脱しなければならず、認証作業が煩雑になるという問題がある。
【０００８】
さらに、従来のＩＤカード認証や生体認証では、入室が許可された入室者と共謀等して第三者が不正に入退室を行う、いわゆる共連れを防止することができない。すなわち、入室が許可された入室者は、正規のＩＤカードや生体情報を用いて認証を行うことで、第三者と共に入退室を行うことが可能であり、セキュリティの安全性を確保することができない可能性がある。
【０００９】
本発明は、上記に鑑みてなされたものであって、共連れを防止することにより高度な安全性を維持しつつ、認証の際の操作が簡易で利便性を向上することができる認証機能付きエアシャワーシステムを提供することを目的とする。
【課題を解決するための手段】
【００１０】
上述した課題を解決し、目的を達成するために、請求項１に記載の認証機能付きエアシャワーシステムは、入室者に対して空気を噴射可能なもので、入室用扉及び退室用扉を備えたエアシャワー室と、前記エアシャワー室に入室している入室者の体重を計測する体重計測手段と、前記エアシャワー室に入室している入室者が装着している携帯認証端末から出力される情報であって、当該入室者又は当該携帯認証端末を一意に識別するための識別情報を受信する受信手段と、前記入室者の体重と前記識別情報とを相互に対応付けて格納する格納手段と、前記退室用扉を施錠し、前記入室用扉から前記入室者が前記エアシャワー室に入室した後に当該入室用扉を施錠し、前記受信手段にて受信された前記識別情報に対応する体重を前記格納手段から取得し、当該取得した体重と前記体重計測手段にて計測された前記入室者の体重とに基づいて前記入室者の認証可否を判定し、認証可と判定した場合に前記退室用扉を開錠する制御手段とを備えたことを特徴とする。
【００１１】
請求項２に記載の認証機能付きエアシャワーシステムは、請求項１に記載の認証機能付きエアシャワーシステムにおいて、前記制御手段は、前記受信手段にて複数の前記識別情報が受信された場合には、当該複数の識別情報の各々に対応する体重を前記格納手段から取得する共に、当該取得した体重の合計値を算定し、当該算定した体重と前記体重計測手段にて計測された前記入室者の体重とに基づいて前記入室者の認証可否を判定することを特徴とする。
【００１２】
請求項３に記載の認証機能付きエアシャワーシステムは、請求項２に記載の認証機能付きエアシャワーシステムにおいて、前記制御手段は、前記受信手段による前記識別情報の受信位置及び受信数に基づいて、前記エアシャワー室の入室者の位置又は人数を判定し、当該判定された入室者の位置又は人数に基づいて、前記エアシャワー室における空気の噴射を制御することを特徴とする。
【００１３】
請求項４に記載の認証機能付きエアシャワーシステムは、請求項１から３のいずれか一項に記載の認証機能付きエアシャワーシステムにおいて、前記エアシャワー室への前記入室者に装着される携帯認証端末を備え、前記携帯認証端末は、前記入室者に対する当該携帯認証端末の装着有無を検知する装着検知手段と、当該携帯認証端末又は当該携帯認証端末を装着している前記入室者を一意に識別するための識別情報を記憶する識別情報記憶手段と、前記装着検知手段の検知結果に基づいて、前記入室者による当該携帯認証端末の装着が当該携帯認証端末の起動後に継続して行われているか否かを判定し、当該装着が当該起動後に継続して行なわれていることを条件として、前記識別情報記憶手段にて記憶されている前記識別情報を、当該入室者を媒体とした人体通信にて前記受信手段に送信する携帯認証端末側人体通信手段とを備え、前記受信手段は、前記携帯認証端末側人体通信手段から人体通信にて送信された前記識別情報を受信する認証操作端末側人体通信手段を備えることを特徴とする。
【発明の効果】
【００１４】
請求項１に記載の認証機能付きエアシャワーシステムによれば、識別情報に対応する体重と体重計測手段にて計測された体重とに基づいて入室者の認証可否を判定するので、
例えば、入室許可のある者であって１枚のＩＤカードを保持する入室者が、入室許可のない第三者を共連れして一緒にエアシャワー室に入室した場合には、これら複数人の体重が入室者の体重と合致しないことから管理エリアへの入室を不許可と判定できる等、不正な共連れを確実に防止できる。
【００１５】
また、請求項２に記載の認証機能付きエアシャワーシステムによれば、入室許可のある複数の入室者が同時にエアシャワー室に入室した場合でも、各入室者の体重に基づいた認証を一括的に行うことができるので、エアシャワー室の複数人の同時通過が可能となり、エアシャワー室の通過効率を高めることができる。
【００１６】
また、請求項３に記載の認証機能付きエアシャワーシステムによれば、入室者の位置又は人数に基づいてエアシャワー室における空気の噴射を制御するので、入室者の位置又は人数に応じて空気の噴射の状態を最適化でき、空気噴射の効率や体重計測の正確性を高めることが可能となる。
【００１７】
また、請求項４に記載の認証機能付きエアシャワーシステムによれば、入室者による携帯認証端末の装着が当該携帯認証端末の起動後に継続して行われていることを条件として、携帯認証端末から識別情報が送信され、この識別情報に基づいて入室者の認証が行われるので、正当な入室者以外の第三者が入室者から携帯認証端末を取り外して認証を行った場合には、認証情報が送信されないために認証をパスしないため、第三者によるなりすましを防止することができ、認証の確実性を向上させることができる。
また、携帯認証端末から送信された識別情報に基づいて入室者の認証が行われるので、マスクや手袋を装着した状態のままで認証作業を行うことができ、認証作業を簡素化することができる。さらに、入室者が受信端末に触れることによる自然な動作で認証が行なわれるので、入室者の作業や思考を中断することなく認証を行うことが可能となる。
【発明を実施するための最良の形態】
【００１８】
以下に添付図面を参照して、この発明に係る認証機能付きエアシャワーシステムの実施の形態を詳細に説明する。まず、本実施の形態の構成及び処理内容について説明し、次に本実施の形態に対する変形例について説明する。ただし、本実施の形態によって本発明が限定されるものではない。
【００１９】
（構成）
最初に、本実施の形態に係るエアシャワーシステムの構成について説明する。図１は、本実施の形態に係るエアシャワーシステムを適用したエアシャワー室及びその周辺の側面図、図２は、図１の平面図である。認証ステーション１、エアシャワー室２、及び管理エリア３は、図示の順序で隣接するように配置されている。認証ステーション１は、後述するウェアラブル認証ユニット３０（Ｗｅａｒａｂｌｅ  Ｃｅｒｔｉｆｉｃａｔｅ  Ｕｎｉｔ，以下「ＷＣＵ」。ただし図１、２では図示せず）の起動処理を行うと共に、エアシャワー室２に入室する入室者の体重の登録を行うエリアである。エアシャワー室２は、当該エアシャワー室２に入室した入室者に対して空気を噴射するエリアであり、以下に特記する部分を除いて公知のエアシャワー室２と同様に構成される。管理エリア３は、許可された入室者のみが入室可能なエリアであり、例えば製薬工場や半導体製造工場のクリーンルームである。
【００２０】
エアシャワー室２の構成についてさらに詳細に説明する。図３は、図１のエアシャワー室２のＡ−Ａ矢視断面図である。図１から図３に示すように、エアシャワー室２は、入室用扉２０、退室用扉２１、側壁部２２、天井部２３、及び床部２４によって囲繞された閉鎖空間であり、この閉鎖空間は複数（少なくとも２人）が同時に入室可能な広さである。入室用扉２０及び退室用扉２１は、図示しない電子錠によって開閉が制御される。側壁部２２及び天井部２３には、チャンバー２２ａ、２３ａが設けられると共に、側壁部２２のチャンバー２２ａの下方には送風機２５が配置されている。この送風機２５としては、少なくとも送風量を２段階に変更制御が可能なものが用いられる。この送風機２５から送風された空気は、フィルタ２６を介して清浄化された後、チャンバー２２ａ、２３ａを介して、側壁部２２に設けた吹出口２２ｂと、天井部２３に設けた吹出口２３ｂとから、閉鎖空間に向けて噴射される。なお、これら吹出口２２ｂ、２３ｂからの送風は、図示しないダンパによって制御可能である。
【００２１】
また、エアシャワー室２の床部２４には、体重計２７が組み込まれている。この体重計２７は、特許請求の範囲における体重計測手段に対応するもので、具体的には、床部２４の床板２４ａが上下動可能となっており、この床板２４ａの下方にロードセル２７ａが配置されて、床板２４ａに乗った入室者の体重がロードセル２７ａにて計測され、この計測値が後述する受信端末６０を介して後述する認証管理装置４０に送信される。また、体重計２７の上方には、後述する受信端末６０の複数の人体通信部６５ａが並設されており、この人体通信部６５ａに乗った入室者との間で人体通信を行うことが可能となっている。
【００２２】
図４は、エアシャワー室２及びその周辺に配置される装置の概要を説明するためのブロック図である。本実施の形態に係るエアシャワーシステムは、入室者に装着されて認証ステーション１やエアシャワー室２に持ち込まれるＷＣＵ３０と、認証ステーション１に配置された認証管理装置４０及び体重計５０と、エアシャワー室２に配置された受信端末６０及び上述の体重計２７を備えて構成されている。
【００２３】
ＷＣＵ３０は、入室者（被認証者）に着脱自在に装着されて、当該ＷＣＵ３０を一意に識別するためのユニットＩＤを当該入室者を媒体とした人体通信により定期的に送信するものであって、特許請求の範囲における携帯認証端末に対応する。
【００２４】
認証管理装置４０は、入室者から入力された当該入室者の生体情報（以下「人体ＩＤ」と称する）に基づいて当該入室者の本人認証を行うと共に、受信端末６０に接続されて認証管理を行うものである。
【００２５】
体重計５０は、入室者の体重を計測する体重計測手段であり、以下に特記する部分を除いて公知の体重計と同様に構成される。
【００２６】
受信端末６０は、ＷＣＵ３０から送信されたユニットＩＤを人体通信により受信し、当該ユニットＩＤに基づいて、当該ＷＣＵ３０を装着している入室者の認証を行うものであって、特許請求の範囲における受信手段に対応する。
【００２７】
このように構成されたＷＣＵ３０と認証管理装置４０の相互間、あるいは、ＷＣＵ３０と受信端末６０の相互間では、当該ＷＣＵ３０を装着した入室者を媒体とした人体通信が行われる。人体通信とは、人体が微弱な電流を流す性質を応用して当該人体を通信媒体の代わりとして使い、近距離のデータ通信を行う技術である。具体的には、人体の体内電流の変化を利用したり、送信側の機器から、人体に無害な程度の電流を流すことで体内電流を変化させ、受信側の機器で変化を読みとることで、通信を実現する。
【００２８】
この他、ＷＣＵ３０と認証管理装置４０は、無線通信によっても通信を行うことができる。また、認証管理装置４０と体重計５０の相互間や、認証管理装置４０と受信端末６０の相互間、あるいは、体重計５０と受信端末６０の相互間では、無線または有線（例えばインターネットやＬＡＮ：Ｌｏｃａｌ  Ａｒｅａ  Ｎｅｔｗｏｒｋ等のネットワークを含む）によって通信を行うことができる。なお、無線通信としては、光通信、電波通信、あるいは音波通信を含む任意の無線通信を行うことができる。
【００２９】
図４の上方にはＷＣＵ３０の起動時の認証処理の概要、下方にはＷＣＵ３０の利用時の認証処理の概要をそれぞれ示す。ＷＣＵ３０の起動時には、認証ステーション１において入室者がＷＣＵ３０を装着した後、この入室者が認証管理装置４０に自己の人体ＩＤ（生体情報）を入力し、認証管理装置４０はこの人体ＩＤ（生体情報）に基づいて入室者の認証を行う。認証をクリアした場合、認証管理装置４０からの起動信号によってＷＣＵ３０を起動させる。「ＷＣＵ３０を起動させる」とは、ＷＣＵ３０をユニットＩＤの送信が可能となる状態にすることを意味する。すなわち、ＷＣＵ３０は、起動された後、自己に記憶されたユニットＩＤを人体通信によって認証管理装置４０に送信する。認証管理装置４０は、受信したユニットＩＤの登録を行う。また、利用者は、体重計５０によって自己の体重を計測し、この体重がユニットＩＤに対応付けて認証管理装置４０に登録される。
【００３０】
ＷＣＵ３０の利用時には、ＷＣＵ３０を装着した入室者が、エアシャワー室２に入室し、受信端末６０の人体通信部６５ａとＷＣＵ３０による人体通信を行うことにより、ユニットＩＤを受信端末６０に送信する。受信端末６０は受信したユニットＩＤを認証管理装置４０に送信する。また、利用者の体重がエアシャワー室２の体重計２７によって計測され、この体重が受信端末６０を介して認証管理装置４０に送信される。認証管理装置４０は、このように送信されたユニットＩＤと体重の組み合わせが、認証処理時に自己に登録されたユニットＩＤと体重の組み合わせに合致するか否かに基づいて、入室者の認証を行い、この認証結果に基づいて、エアシャワー室２の退室用扉２１を自動開錠する等の所定の処理を行う。
【００３１】
（構成−ＷＣＵ）
次に、本実施の形態の認証システムの詳細について説明する。最初に、ＷＣＵ３０の構成について説明する。図５は、ＷＣＵ３０の構成を機能概念的に示すブロック図である。ＷＣＵ３０は、接触センサ３１、人体通信部３２、通信部３３、制御部３４、入力部３５、出力部３６、及びＲＯＭ（Ｒｅａｄ  Ｏｎｌｙ  Ｍｅｍｏｒｙ）３７を備えて構成されている。
【００３２】
接触センサ３１は、入室者に対するＷＣＵ３０の装着有無を検知する装着検知手段である。この接触センサ３１は、例えば、温度センサ及び脈拍センサを組み合わせて構成されており、温度センサにて所定範囲の体温が検出されている場合であって、脈拍センサにて所定範囲の脈拍が検出されている場合に、入室者に対してＷＣＵ３０が装着されているものと検知する。この接触センサ３１には、入室者に対するＷＣＵ３０の装着が継続的に行われているか否かを検知する機能が付加されており、例えば、温度センサによる体温検出や脈拍センサによる脈拍検出が所定時間以上途絶した場合には、入室者からＷＣＵ３０が取り外されたものと判定する。あるいは、接触センサ３１は、ＷＣＵ３０を入室者に手首に装着するためのリストバンドの状態を監視しており、リストバンドのロック機構が解除された場合や、リストバンドの引き出し長さが入室者の手首の外周長さを超えて手を通過可能な所定長さ以上となった場合には、入室者からＷＣＵ３０が取り外されたものと判定する。接触センサ３１は、これらの検知結果及び判定結果を含んだ信号を制御部３４に出力する。
【００３３】
人体通信部３２は、人体通信を行う通信モジュールである。この人体通信部３２は、接触センサ３１の検知結果に基づいて、入室者によるＷＣＵ３０の装着が当該ＷＣＵ３０の起動後に継続して行われているか否かを判定し、当該装着が当該起動後に継続して行なわれていることを条件として、ＲＯＭ３７にて記憶されているユニットＩＤを、当該入室者を媒体とした人体通信にて認証管理装置４０や受信端末６０に送信する。
【００３４】
通信部３３は、認証管理装置４０から起動信号を受信したり、その他の各種の情報を認証管理装置４０との間で送受信する無線通信モジュールである。
【００３５】
制御部３４は、ＷＣＵ３０の全体を制御する制御手段であり、例えばＣＰＵ（Ｃｅｎｔｒａｌ  Ｐｒｏｃｅｓｓｉｎｇ  Ｕｎｉｔ）及び当該ＣＰＵ上で解釈実行されるプログラムから構成される。
【００３６】
入力部３５は、当該ＷＣＵ３０に対して任意の情報を入力するための入力手段であり、例えば、操作ボタン等の公知の入力デバイスとして構成される。
【００３７】
出力部３６は、当該ＷＣＵ３０の外部に対して任意の情報を出力するための出力手段であり、例えば、液晶ディスプレイ等の公知の出力デバイスとして構成される。
【００３８】
ＲＯＭ３７は、ＷＣＵ３０を一意に識別するための識別情報（認証端末識別情報）であるユニットＩＤを記憶するもので、特許請求の範囲における識別情報記憶手段に対応する。ただし、ユニットＩＤを記憶する記憶媒体は任意であり、ＲＯＭ３７に代えてフレッシュメモリ等を用いることもできるが、ユニットＩＤが不正に書換え等されることがない記憶媒体や記憶形式を採用することが好ましく、例えばユニットＩＤを暗号化してＲＯＭ３７に記憶させてもよい。
【００３９】
（構成−認証管理装置）
次に、認証管理装置４０の構成について説明する。図６は、認証管理装置４０の構成を機能概念的に示すブロック図である。認証管理装置４０は、通信部４１、認証部４２、生体情報入力部４３、ＤＢ管理部４４、認証ＤＢ４５、登録ＤＢ４６、及び読み取り装置４７を備えて構成されている。
【００４０】
通信部４１は、認証管理装置４０との間でユニットＩＤや人体ＩＤ（生体情報）を含む情報を通信する通信手段である。また、通信部４１は、ＷＣＵ３０を起動させるための起動信号を当該ＷＣＵ３０に対して送信する起動信号送信手段である。
【００４１】
認証部４２は、生体情報入力部４３にて人体ＩＤ（生体情報）の入力が受け付けられた場合に、当該人体ＩＤ（生体情報）に基づいて入室者の認証可否を判定し、認証可の場合には通信部４１を介して起動信号をＷＣＵ３０に送信する認証設定手段である。
【００４２】
生体情報入力部４３は、入室者を一意に特定するための入室者識別情報の入力を受け付ける入室者識別情報入力手段である。ここでは、入室者識別情報は入室者の人体ＩＤ（生体情報）であり、生体情報入力部４３は、人体ＩＤ（生体情報）としての指紋情報をスキャンするスキャナや、人体ＩＤ（生体情報）としての顔画像を撮像するカメラ等である。
【００４３】
ＤＢ管理部４４は、認証ＤＢ４５及び登録ＤＢ４６に対するデータの参照や登録を行う登録手段である。
【００４４】
認証ＤＢ４５は、入室者の認証を行うための認証情報を格納する起動可否情報記憶手段格納手段である。この認証情報の構成例を図７（ａ）に示す。認証情報は、入室者を一意に識別するための識別情報である人体ＩＤ（生体情報）、及びＷＣＵ３０の起動可否（認証情報の認証可否）を示す起動可否情報を相互に対応付けて構成されている。
【００４５】
図６の登録ＤＢ４６は、入室者が利用する機器に関する登録情報を格納する格納手段である。この登録情報の構成例を図７（ｂ）に示す。登録情報は、人体ＩＤ、ユニットＩＤ、及び体重を相互に対応付けて構成されている。
【００４６】
図６の読み取り装置４７は、ＷＣＵ３０からユニットＩＤを読み取る読取り手段であり、人体通信部４７ａを備える。この人体通信部４７ａは、ＷＣＵ３０の人体通信部３２から人体通信にて送信されたユニットＩＤを人体通信により受信する人体通信手段である。
【００４７】
（構成−受信端末）
次に、受信端末６０の構成について説明する。図８は、受信端末６０の構成を機能概念的に示すブロック図である。受信端末６０は、通信部６１、制御部６３、表示部６４、及び読み取り装置６５を備えて構成されている。
【００４８】
通信部６１は、認証管理装置４０との間でユニットＩＤを含む情報を通信する受信端末側通信手段である。また、通信部６１は、ＷＣＵ３０との無線通信による送受信を行う通信モジュールである。
【００４９】
制御部６３は、認証管理装置４０から受信した制御信号や表示情報に基づいて所定の制御処理や表示処理を実行する。このような処理として例えば、入室許可／不許可に基づく退室用扉２１の開閉制御を行う。
【００５０】
表示部６４は、入室者に各種情報を表示するものであり、例えば、液晶ディスプレイ等が該当する。
【００５１】
読み取り装置６５は、ＷＣＵ３０からユニットＩＤを読み取るものであり、具体的には、複数の人体通信部６５ａを備えている。これら複数の人体通信部６５ａは、ＷＣＵ３０から入室者を媒体とした人体通信によりユニットＩＤを受信する受信端末側人体通信手段である。具体的には、複数の人体通信部６５ａは、各々が通信アンテナとして構成されている。
【００５２】
この受信端末６０は、入室者の認証のみを行う認証専用装置として構成することもできるが、入室者によって操作される公知の機器に、入室者の認証を行う機能を付加することで構成してもよい。以下の実施の形態では、受信端末６０は、エアシャワー室２の退室用扉２１の開閉制御を行う扉制御装置であり、入室者が当該受信端末６０に触れることにより、制御部６３が人体ＩＤに基づく制御信号に従って扉の開閉制御を行う。ただし、受信端末６０の例は、これらに限定されるものではなく、任意の処理制御を行うように構成することができる。
【００５３】
（処理−起動処理）
次に、以上のように構成されたエアシャワーシステムによる認証処理について説明する。まず、ＷＣＵ３０の起動処理について説明する。図９は、ＷＣＵ３０の起動処理のフローチャートである。なお、この処理の前提として、認証管理装置４０の認証ＤＢ４５には図７（ａ）に示す情報が、予め任意の方法で格納されているものとする。
【００５４】
入室者は、認証ステーション１においてＷＣＵ３０の装着及び起動処理を行う。この認証ステーション１には、当該入室者がＷＣＵ３０の装着を行った事実を目視等にて監視する監視員が配置される。この監視員の監視下、入室者がＷＣＵ３０を装着し、このＷＣＵ３０の電源をＯＮすると、接触センサ３１は、入室者とＷＣＵ３０との接触検知の有無の継続的な監視を開始し（ステップＳＡ−１）、この接触を検知した場合には（ステップＳＡ−１，Ｙｅｓ）、制御部３４に接触検知信号を出力する。この接触検知信号の出力を受けた制御部３４は、当該ＷＣＵ３０を、認証管理装置４０からの起動信号の受信待ち状態とする（ステップＳＡ−２）。
【００５５】
次いで、入室者が、ＷＣＵ３０を装着した状態のまま、自己の人体ＩＤ（生体情報）を認証管理装置４０の生体情報入力部４３を介して入力すると（ステップＳＡ−３，Ｙｅｓ）、認証部４２は、入力された人体ＩＤ（生体情報）に対応して予め設定されている起動可否情報を認証ＤＢ４５から取得し、この起動可否情報に基づいて、ＷＣＵ３０の起動が許可されているか否かを判定し（ステップＳＡ−４)、許可されていない場合には（ステップＳＡ−４，Ｎｏ）、ステップＳＡ−３に戻り、許可されている場合には（ステップＳＡ−４，Ｙｅｓ）、通信部４１を介してＷＣＵ３０に所定の起動信号を無線送信する（ステップＳＡ−５）。
【００５６】
この起動信号を通信部３３を介して受信したＷＣＵ３０の制御部３４は（ステップＳＡ−２，Ｙｅｓ）、当該ＷＣＵ３０を起動状態とし、自己のＲＯＭ３７に記憶されているユニットＩＤを人体通信部３２による人体通信にて送信可能な人体通信待ち状態とする（ステップＳＡ−６）。その後、入室者が、ＷＣＵ３０を装着した状態のまま、体重計２７によって体重を計測すると、計測された体重が体重計２７から認証管理装置４０に送信される（ステップＳＡ−７）。この認証管理装置４０のＤＢ管理部４４は、体重計２７から体重が送信された場合（ステップＳＡ−８，Ｙｅｓ）、この体重を、当該入室者の人体ＩＤ及びユニットＩＤに対応付けて登録ＤＢ４６に登録する（ステップＳＡ−９）。この際の人体ＩＤ及びユニットＩＤの特定方法は任意であるが、例えば、体重計２７に人体通信部を設け、ＷＣＵ３０を装着した入室者が当該人体通信部に接触した時に、ＷＣＵ３０から体重計２７にユニットＩＤを送信し、このユニットＩＤを体重計２７から認証管理装置４０に送信することで、認証管理装置４０において入室者のユニットＩＤを特定し、このユニットＩＤに対応する人体ＩＤを認証ＤＢ４５から取得してもよい。これにてＷＣＵ３０の起動処理が終了する。
【００５７】
なお、ステップＳＡ−１において接触が検知された以降、入室者に対するＷＣＵ３０の装着状態は接触センサ３１にて継続的に監視されており（ステップＳＡ−１０）、当該装着が継続的に行われている限りにおいて、ユニットＩＤの送信可能状態を継続するが、当該装着が継続的に行われていないこと（入室者からＷＣＵ３０が少なくとも一次的に取り外されたこと）が接触センサ３１にて検知された場合（ステップＳＡ−１０，Ｙｅｓ）、ユニットＩＤの送信可能状態がリセットされて当該ユニットＩＤの送信が停止される（ステップＳＡ−１１）。この場合には、再びステップＳＡ−１に戻り、監視員の監視下で入室者がＷＣＵ３０を再び装着しない限り、後述する利用処理において人体通信を行っても、ユニットＩＤが受信端末６０に送信されないため、入室者の認証を行うことが不可能となる。従って、ＷＣＵ３０を起動状態とした後、入室者がＷＣＵ３０を不正に第三者に受け渡した場合でも、この第三者によるなりすましを防止できる。
【００５８】
（処理−利用処理）
次に、このようにして起動されたＷＣＵ３０の利用処理について説明する。図１０及び図１１は、ＷＣＵ３０の利用処理のフローチャートである。認証管理装置４０は、入室者がエアシャワー室２に入室したか否かを監視する（ステップＳＢ−１）。この入室有無の判定方法は任意であるが、例えば、エアシャワー室２の内部に配置した受信端末６０の人体通信部６５ａに、ＷＣＵ３０を装着した入室者が触れると、ＷＣＵ３０の人体通信部３２から受信端末６０の人体通信部６５ａにユニットＩＤが人体通信にて送信され、このユニットＩＤが通信部６１を介して認証管理装置４０の通信部４１に送信される。認証管理装置４０は、このようにユニットＩＤが送信された場合に、入室者がエアシャワー室２に入室したものと判断する。あるいは、当該判断を、エアシャワー室２の体重計２７からの出力に基づいて行ったり、エアシャワー室２に設けた公知の人感センサからの出力に基づいて行ってもよい。
【００５９】
入室者が入室した場合（ＳＢ−１，Ｙｅｓ)、認証管理装置４０は、入室用扉２０の電子錠に制御信号を送信することで当該入室用扉２０を施錠した後（ステップＳＢ−２）、入室者の位置及び人数を判定する（ステップＳＢ−３）。入室者の位置は、例えば、ＷＣＵ３０と人体通信を行った人体通信部６５ａの位置を特定することで行うことができる。ただし、この他の任意の方法で入室者の位置を特定してもよく、例えば、エアシャワー室２の内部をカメラで撮像し、当該撮影した画像を解析することで、入室者の位置を特定してもよい。また、入室者数の判定方法は任意であるが、例えば、上述したようにＷＣＵ３０の人体通信部３２から人体通信部６５ａに送信されたユニットＩＤの数を、入室者の人数として利用する。すなわち、ここでは、複数の入室者が存在する場合には、各入室者がそれぞれ人体通信部６５ａに触れることを想定しており、入室者の人数に応じたユニットＩＤが認証管理装置４０に送信されるので、当該ユニットＩＤの送信数に基づいて入室者の人数を判定することができる。また、このようにエアシャワー室２に入室者が入室することで、体重計２７による体重計測が自動的に開始される。
【００６０】
そして、入室者が１人である場合（ステップＳＢ−４，Ｙｅｓ）、認証管理装置４０は、体重計測が完了するまで待機し（ステップＳＢ−５）、体重計測が完了した場合には（ステップＳＢ−５，Ｙｅｓ）、計測された体重が受信端末６０の通信部６１を介して認証管理装置４０の通信部４１に送信される。認証管理装置４０の認証部４２は、ステップＳＢ−１において送信されたユニットＩＤに対応する体重を登録ＤＢ４６から取得し、当該取得した体重と、エアシャワー室２の内部で計測された体重とが、相互に一致するか否かを判定する（ステップＳＢ−６）。そして、体重が一致しない場合には（ステップＳＢ−６，Ｎｏ）、許可された入室者以外の第三者が共連されている可能性があると判断して、通信部４１を介して受信端末６０の通信部６１に制御信号を送信することで、表示部６４にエラーメッセージを表示させると共に（ステップＳＢ−７）、入室用扉２０を開錠して入室者の退室を促す（ステップＳＢ−８）。
【００６１】
一方、体重が一致する場合には（ステップＳＢ−６，Ｙｅｓ）、許可された入室者以外の第三者が共連されている可能性はないと判断して、エアシャワー室２の送風機２５及び吹出口２２ｂ、２３ｂの図示しないダンパを制御し、ステップＳＢ−３で判定した入室者の位置に最も近い吹出口２２ｂ、２３ｂから、空気を噴射する（ステップＳＢ−９）。ここでは、入室者が一人であり、送風量（空気循環量）が少量で十分であると考えられるため、低圧で空気を噴射する。そして、所定の空気噴射時間が経過する迄、このような空気噴射を継続し（ステップＳＢ−１０）、所定の空気噴射時間が経過した時点で（ステップＳＢ−１０，Ｙｅｓ）、空気噴射を停止する（ステップＳＢ−１１）。
【００６２】
その後、認証管理装置４０の認証部４２は、退室用扉２１を開錠して入室者が管理エリア３へ入ることを許容し（ステップＳＢ−１２）、入室者が管理エリア３へ入ったと想定される所定時間の経過後に（ステップＳＢ−１３，Ｙｅｓ）、退室用扉２１を施錠すると共に（ステップＳＢ−１４）、入室用扉２０を開錠して（ステップＳＢ−１５）、次の入室者の入室を可能とする。
【００６３】
一方、ステップＳＢ−３において入室者が複数人であると判定された場合（ステップＳＢ−４，Ｎｏ）、ステップＳＢ−１６からＳＢ―２２を行う。これら各処理は、ステップＳＢ−５からＳＢ―１０とほぼ同様であるためにその説明を省略するが、体重計測の完了後（ステップＳＢ−１６，Ｙｅｓ）、ステップＳＢ−１において送信された複数のユニットＩＤに対応する複数の体重を登録ＤＢ４６から取得し、これら複数の体重の合計を求め（ステップＳＢ−１７）、この合計の体重と、エアシャワー室２の内部で計測された体重とが、相互に一致するか否かを判定する（ステップＳＢ−１８）。そして、体重が一致する場合には（ステップＳＢ−１８，Ｙｅｓ）、ステップＳＢ−３で判定した入室者の位置に最も近い吹出口２２ｂ、２３ｂから、空気を噴射する（ステップＳＢ−２１）。ここでは、入室者が複数であり、送風量（空気循環量）を多くすべきであると考えられるため、高圧で空気を噴射する。これにて利用処理が終了する。
【００６４】
（効果）
このように本実施の形態では、識別情報に対応する体重と体重計２７にて計測された体重とに基づいて入室者の認証可否を判定するので、例えば、入室許可のある者であって１個のＷＣＵ３０を保持する入室者が、入室許可のない第三者を共連れして一緒にエアシャワー室２に入室した場合には、これら複数人の体重が入室者の体重と合致しないことから管理エリア３への入室を不許可と判定できる等、不正な共連れを確実に防止できる。
【００６５】
また、入室許可のある複数の入室者が同時にエアシャワー室２に入室した場合でも、各入室者の体重に基づいた認証を一括的に行うことができるので、エアシャワー室２の複数人の同時通過が可能となり、エアシャワー室２の通過効率を高めることができる。
【００６６】
また、入室者の位置や人数に基づいてエアシャワー室２における空気の噴射を制御するので、入室者の位置や人数に応じて空気の噴射を最適化でき、空気噴射の効率や体重計測の正確性を高めることが可能となる。
【００６７】
また、入室者によるＷＣＵ３０の装着が当該ＷＣＵ３０の起動後に継続して行われていることを条件として、ＷＣＵ３０からユニットＩＤが送信され、このユニットＩＤに基づいて入室者の認証が行われるので、正当な入室者以外の第三者が入室者からＷＣＵ３０を取り外して認証を行った場合には、認証情報が送信されないために認証をパスしないため、第三者によるなりすましを防止することができ、認証の確実性を向上させることができる。
また、ＷＣＵ３０から送信された識別情報に基づいて入室者の認証が行われるので、マスクや手袋を装着した状態のままで認証作業を行うことができ、認証作業を簡素化することができる。さらに、受信端末６０を入室者が自然に触れる位置に設ければ、入室者が受信端末６０に触れることによる自然な動作で認証が行なわれるので、入室者の作業や思考を中断することなく認証を行うことが可能となる。
【００６８】
〔各実施の形態に対する変形例〕
以上、本発明に係る各実施の形態について説明したが、本発明の具体的な構成及び手段は、特許請求の範囲に記載した各発明の技術的思想の範囲内において、任意に改変及び改良することができる。
【００６９】
例えば、上記実施の形態では、入室者が認証管理装置４０に生体情報を入力して認証を行っていたが、パスワード等の人体ＩＤ（生体情報）を認証管理装置４０に入力して認証を行うように構成してもよい。
【００７０】
また、上記実施の形態では、人体の体内電流の変化を利用した人体通信を行っていたが、人体を媒体として通信を行えるものであればいずれの方式を用いても良い。
【００７１】
また、上記実施の形態では、ＷＣＵ３０から受信端末６０に送信する識別情報として、ＷＣＵ３０に固有のユニットＩＤを用いているが、入室者が認証管理装置４０に人体ＩＤ（生体情報）を入力した際に、当該人体ＩＤ（生体情報）を認証管理装置４０からＷＣＵ３０に無線送信して当該ＷＣＵ３０に記憶させ、当該人体ＩＤ（生体情報）を識別情報として受信端末６０に送信するようにしてもよい。
【００７２】
また、入室者の識別情報は、必ずしもＷＣＵ３０を用いて受信端末６０に入力する必要はなく、例えば、公知のＲＦＩＤを埋め込んだＩＣカードにユニットＩＤを記録しておき、このユニットＩＤを受信端末６０に非接触にて読み取らせてもよい。
【００７３】
また、上記実施の形態では、入室者の位置及び人数に基づいて空気噴射を制御しているが、位置又は人数のいずれか一方のみに基づいて制御を行ってもよい。また、入室者の位置や人数に基づく空気噴射の制御内容も変更することができ、例えば、人数に応じて空気噴射の時間を調整してもよい。
【００７４】
なお、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。
【図面の簡単な説明】
【００７５】
【図１】本実施の形態に係るエアシャワーシステムを適用したエアシャワー室及びその周辺の側面図である。
【図２】図１の平面図である。
【図３】図１のエアシャワー室のＡ−Ａ矢視断面図である。
【図４】エアシャワー室及びその周辺に配置される装置の概要を説明するためのブロック図である。
【図５】ＷＣＵの構成を機能概念的に示すブロック図である。
【図６】認証管理装置の構成を機能概念的に示すブロック図である。
【図７】（ａ）は認証情報の構成例を示す図、（ｂ）は登録情報の構成例を示す図である。
【図８】受信端末の構成を機能概念的に示すブロック図である。
【図９】ＷＣＵの起動処理のフローチャートである。
【図１０】ＷＣＵの利用処理のフローチャートである。
【図１１】図１０に続く、ＷＣＵの利用処理のフローチャートである。
【符号の説明】
【００７６】
１  認証ステーション
２  エアシャワー室
３  管理エリア
２０  入室用扉
２１  退室用扉
２２  側壁部
２２ａ、２３ａ  チャンバ
２２ｂ、２３ｂ  吹出口
２３  天井部
２４  床部
２４ａ  床板
２５  送風機
２６  フィルタ
２７、５０  体重計
３０  ＷＣＵ
３１  接触センサ
３２、４７ａ、６５ａ  人体通信部
３３、４１、６１  通信部
３４、６３  制御部
３５  入力部
３６  出力部
３７  ＲＯＭ
４０  認証管理装置
４２  認証部
４３  生体情報入力部
４４  ＤＢ管理部
４５  認証ＤＢ
４６  登録ＤＢ
４７、６５  読み取り装置
６０  受信端末
６４  表示部
【図１】
2010059648.tif 000003
【図２】
2010059648.tif 000004
【図３】
2010059648.tif 000005
【図４】
2010059648.tif 000006
【図５】
2010059648.tif 000007
【図６】
2010059648.tif 000008
【図７】
2010059648.tif 000009
【図８】
2010059648.tif 000010
【図９】
2010059648.tif 000011
【図１０】
2010059648.tif 000012
【図１１】
2010059648.tif 000013